【手続補正書】
【提出日】令和3年4月23日(2021.4.23)
【手続補正１】
【補正対象書類名】特許請求の範囲
【補正対象項目名】全文
【補正方法】変更
【補正の内容】
【特許請求の範囲】
【請求項１】
ユーザ機器(UE)におけるワイヤレス通信の方法であって、
UE固有のリソースセットを示す無線リソース制御(RRC)構成を基地局から受信するステップと、
対応する肯定応答/否定応答(ACK/NACK)リソース構成を含む物理ダウンリンク制御チャネル(PDCCH)を前記基地局から受信するステップと、
前記ACK/NACKリソース構成に少なくとも部分的に基づいて、来るべき物理アップリンク制御チャネル(PUCCH)に対する前記UE固有のリソースセットから1つまたは複数のACK/NACKリソースを前記UEにおいて決定するステップと、
前記ACK/NACKリソース構成に少なくとも部分的に基づいて決定される前記1つまたは複数のACK/NACKリソースのうちの少なくとも1つにおいて、物理ダウンリンク共有チャネル(PDSCH)についてACK/NACKを前記UEから前記基地局に送信するステップと
を含む、方法。
【請求項２】
前記1つまたは複数のACK/NACKリソースは、前記ACK/NACKと前記ACK/NACKとは異なる他のタイプのUCIとを少なくとも含む組み合わされたUCIを送信するために使用される、請求項1に記載の方法。
【請求項３】
前記ACK/NACKは、前記UEが前記RRC構成および前記PDCCHを受信したことを前記基地局が検証することを可能にする、請求項1に記載の方法。
【請求項４】
前記UE固有のリソースセットから前記1つまたは複数のACK/NACKリソースを決定することが、サブバンドマッピング情報、クロススロットスケジューリング情報、および前記ACK/NACKリソース構成のフォーマットのうちの少なくとも1つに、さらに少なくとも部分的に基づく、請求項1に記載の方法。
【請求項５】
前記サブバンドマッピング情報は、複数のダウンリンクサブバンドの、1つまたは複数のアップリンクサブバンドへのマッピングに基づく、請求項4に記載の方法。
【請求項６】
前記サブバンドマッピング情報は、ダウンリンク制御チャネル要素(CCE)リソースおよびアップリンクACKリソースの全体的番号付けに基づく、請求項4に記載の方法。
【請求項７】
前記サブバンドマッピング情報は、ダウンリンク制御チャネル要素(CCE)リソースおよびサブバンド依存オフセットの暗黙的マッピングに基づく、請求項4に記載の方法。
【請求項８】
前記クロススロットスケジューリング情報は、同一スロットスケジューリングおよびクロススロットスケジューリング構成に対する異なるマッピング機能を含む、請求項4に記載の方法。
【請求項９】
前記クロススロットスケジューリング情報は、異なるスロットのロング持続時間内にACK/NACKが送信されることになっていると前記ACK/NACKリソース構成が示すとき、複数のPDCCHを同じリソースにマッピングすることによって決定される、請求項4に記載の方法。
【請求項１０】
前記ACK/NACKリソース構成はリソースインジケータ(RI)を含む、請求項1に記載の方法。
【請求項１１】
前記UE固有のリソースセットから前記1つまたは複数のACK/NACKリソースを前記UEにおいて決定することが、RIビット以外のいくつかのダウンリンク制御情報(DCI)による明示的マッピングにさらに基づく、請求項10に記載の方法。
【請求項１２】
前記RIは、1つまたは複数のサブバンドインデックスを含むマルチレベルリソースインデックス、および前記1つまたは複数のサブバンドインデックスによって識別される各サブバンドに対応する少なくとも1つのリソースを識別する1つまたは複数のリソース識別子である、請求項10に記載の方法。
【請求項１３】
前記UE固有のリソースセットから前記1つまたは複数のACK/NACKリソースを前記UEにおいて決定することが、暗黙的マッピングにさらに基づく、請求項10に記載の方法。
【請求項１４】
前記暗黙的マッピングが、前記ACK/NACKリソース構成を搬送する制御チャネル要素(CCE)のロケーションに基づく、請求項13に記載の方法。
【請求項１５】
前記UE固有のリソースセットから前記1つまたは複数のACK/NACKリソースを前記UEにおいて決定することが、前記UE固有のリソースセット内のリソースの数が2^b_RIより大きく、b_RIが前記ARIのビット数である場合に暗黙的マッピングに基づく、請求項3に記載の方法。
【請求項１６】
ユーザ機器であって、
トランシーバと、
メモリと、
前記トランシーバおよび前記メモリに結合されたプロセッサとを備え、前記プロセッサが、
UE固有のリソースセットを示す無線リソース制御(RRC)構成を基地局から受信することと、
対応する肯定応答/否定応答(ACK/NACK)リソース構成を含む物理ダウンリンク制御チャネル(PDCCH)を前記基地局から受信することと、
前記ACK/NACKリソース構成に少なくとも部分的に基づいて、来るべき物理アップリンク制御チャネル(PUCCH)に対する前記UE固有のリソースセットから1つまたは複数のACK/NACKリソースを決定することと、
前記ACK/NACKリソース構成に少なくとも部分的に基づいて決定される前記1つまたは複数のACK/NACKリソースのうちの少なくとも1つにおいて、物理ダウンリンク共有チャネル(PDSCH)についてACK/NACKを前記基地局に送信することと
を行うように構成される、ユーザ機器。
【請求項１７】
前記1つまたは複数のACK/NACKリソースは、前記ACK/NACKと前記ACK/NACKとは異なる他のタイプのUCIとを少なくとも含む組み合わされたUCIを送信するために使用される、請求項16に記載のユーザ機器。
【請求項１８】
前記ACK/NACKは、前記UEが前記RRC構成および前記PDCCHを受信したことを前記基地局が検証することを可能にする、請求項16に記載のユーザ機器。
【請求項１９】
前記プロセッサは、
サブバンドマッピング情報、クロススロットスケジューリング情報、および前記ACK/NACKリソース構成のフォーマットのうちの少なくとも1つにさらに少なくとも部分的に基づき、前記UE固有のリソースセットから前記1つまたは複数のACK/NACKリソースを決定するようにさらに構成される、請求項16に記載のユーザ機器。
【請求項２０】
前記サブバンドマッピング情報が、複数のダウンリンクサブバンドの、1つまたは複数のアップリンクサブバンドへのマッピングに基づく、請求項19に記載のユーザ機器。
【請求項２１】
前記サブバンドマッピング情報が、ダウンリンク制御チャネル要素(CCE)リソースおよびアップリンクACKリソースの全体的番号付けに基づく、請求項19に記載のユーザ機器。
【請求項２２】
前記サブバンドマッピング情報が、ダウンリンク制御チャネル要素(CCE)リソースおよびサブバンド依存オフセットの暗黙的マッピングに基づく、請求項19に記載のユーザ機器。
【請求項２３】
前記クロススロットスケジューリング情報は、同一スロットスケジューリングおよびクロススロットスケジューリング構成に対する異なるマッピング機能を含む、請求項19に記載のユーザ機器。
【請求項２４】
前記プロセッサは、
異なるスロットのロング持続時間内にACK/NACKが送信されることになっていると前記ACK/NACKリソース構成が示すとき、複数のPDCCHを同じリソースにマッピングすることによって、前記クロススロットスケジューリング情報を決定するようにさらに構成される、請求項19に記載のユーザ機器。
【請求項２５】
前記ACK/NACKリソース構成はリソースインジケータ(RI)を含む、請求項16に記載のユーザ機器。
【請求項２６】
前記プロセッサは、
RIビット以外のいくつかのダウンリンク制御情報(DCI)による明示的マッピングにさらに基づき、前記UE固有のリソースセットから前記1つまたは複数のACK/NACKリソースを決定するようにさらに構成される、請求項25に記載のユーザ機器。
【請求項２７】
前記RIは、1つまたは複数のサブバンドインデックスを含むマルチレベルリソースインデックス、および前記1つまたは複数のサブバンドインデックスによって識別される各サブバンドに対応する少なくとも1つのリソースを識別する1つまたは複数のリソース識別子である、請求項25に記載のユーザ機器。
【請求項２８】
前記プロセッサは、
暗黙的マッピングにさらに基づき、前記UE固有のリソースセットから前記1つまたは複数のACK/NACKリソースを決定するようにさらに構成される、請求項25に記載のユーザ機器。
【請求項２９】
前記暗黙的マッピングが、前記ACK/NACKリソース構成を搬送する制御チャネル要素(CCE)のロケーションに基づく、請求項28に記載のユーザ機器。
【請求項３０】
前記プロセッサは、
前記UE固有のリソースセット内のリソースの数が2^b_RIより大きく、b_RIが前記ARIのビット数である場合に暗黙的マッピングに基づき、前記UE固有のリソースセットから前記1つまたは複数のACK/NACKリソースを決定するようにさらに構成される、請求項28に記載のユーザ機器。
【請求項３１】
ユーザ機器(UE)であって、
UE固有のリソースセットを示す無線リソース制御(RRC)構成を基地局から受信するための手段と、
対応する肯定応答/否定応答(ACK/NACK)リソース構成を含む物理ダウンリンク制御チャネル(PDCCH)を前記基地局から受信するための手段と、
前記ACK/NACKリソース構成に少なくとも部分的に基づいて来るべき物理アップリンク制御チャネル(PUCCH)に対する前記UE固有のリソースセットから1つまたは複数のACK/NACKリソースを決定するための手段と、
前記ACK/NACKリソース構成に少なくとも部分的に基づき、決定される前記1つまたは複数のACK/NACKリソースのうちの少なくとも1つにおいて、物理ダウンリンク共有チャネル(PDSCH)についてACK/NACKを基地局に送信するための手段と
を備える、ユーザ機器。
【請求項３２】
前記ACK/NACKリソース構成はリソースインジケータ(RI)を含む、請求項31に記載のユーザ機器。
【請求項３３】
前記1つまたは複数のACK/NACKリソースは、前記ACK/NACKと前記ACK/NACKとは異なる他のタイプのUCIとを少なくとも含む組み合わされたUCIを送信するために使用される、請求項31に記載のユーザ機器。
【請求項３４】
前記ACK/NACKは、前記UEが前記RRC構成および前記PDCCHを受信したことを前記基地局が検証することを可能にする、請求項31に記載のユーザ機器。
【請求項３５】
プロセッサ実行可能なプログラムコードを記録したユーザ機器(UE)のコンピュータ可読記録媒体であって、前記プログラムコードが、
UE固有のリソースセットを示す無線リソース制御(RRC)構成を基地局から受信するためのコードと、
対応する肯定応答/否定応答(ACK/NACK)リソース構成を含む物理ダウンリンク制御チャネル(PDCCH)を前記基地局から受信するためのコードと、
前記ACK/NACKリソース構成に少なくとも部分的に基づいて、来るべき物理アップリンク制御チャネル(PUCCH)に対する前記UE固有のリソースセットから1つまたは複数のACK/NACKリソースを決定するためのコードと、
前記ACK/NACKリソース構成に少なくとも部分的に基づいて決定される前記1つまたは複数のACK/NACKリソースのうちの少なくとも1つにおいて、物理ダウンリンク共有チャネル(PDSCH)についてACK/NACKを前記基地局に送信するためのコードと
を含む、コンピュータ可読記録媒体。
【請求項３６】
前記ACK/NACKリソース構成はリソースインジケータ(RI)を含む、請求項35に記載のコンピュータ可読記録媒体。
【請求項３７】
前記1つまたは複数のACK/NACKリソースは、前記ACK/NACKと前記ACK/NACKとは異なる他のタイプのUCIとを少なくとも含む組み合わされたUCIを送信するために使用される、請求項35に記載のコンピュータ可読記録媒体。
【請求項３８】
前記ACK/NACKは、前記UEが前記RRC構成および前記PDCCHを受信したことを前記基地局が検証することを可能にする、請求項35に記載のコンピュータ可読記録媒体。
【請求項３９】
基地局におけるワイヤレス通信の方法であって、
UE固有のリソースセットを示す無線リソース制御(RRC)構成をUEに送信するステップと、
対応する肯定応答/否定応答(ACK/NACK)リソース構成を含む物理ダウンリンク制御チャネル(PDCCH)を前記UEに送信するステップと、
物理ダウンリンク共有チャネル(PDSCH)上でユーザデータを前記UEに送信するステップと、
前記ACK/NACKリソース構成に少なくとも部分的に基づいて前記UEによって前記UE固有のリソースセットから決定された少なくとも1つのACK/NACKリソース上の前記PDSCH上で送信された前記ユーザデータに対するACK/NACKを前記UEから受信するステップと、
前記ACK/NACKに基づき、前記UEが前記ユーザデータを受信したことを検証するステップと
を含む、方法。
【請求項４０】
前記ACK/NACKリソース構成はリソースインジケータ(RI)を含む、請求項39に記載の方法。
【請求項４１】
前記RIは、1つまたは複数のサブバンドインデックスを含むマルチレベルリソースインデックス、および前記1つまたは複数のサブバンドインデックスによって識別される各サブバンドに対応する少なくとも1つのリソースを識別する1つまたは複数のリソース識別子である、請求項40に記載の方法。
【請求項４２】
基地局であって、
トランシーバと、
メモリと、
前記メモリおよび前記トランシーバに結合されたプロセッサと
を備え、前記プロセッサが、
UE固有のリソースセットを示す無線リソース制御(RRC)構成をUEに送信することと、
対応する肯定応答/否定応答(ACK/NACK)リソース構成を含む物理ダウンリンク制御チャネル(PDCCH)を前記UEに送信することと、
物理ダウンリンク共有チャネル(PDSCH)上でユーザデータを前記UEに送信することと、
前記ACK/NACKリソース構成に少なくとも部分的に基づいて前記UEによって前記UE固有のリソースから決定された少なくとも1つのACK/NACKリソース上の前記PDSCH上で送信された前記ユーザデータに対するACK/NACKを前記UEから受信することと、
前記ACK/NACKに基づき、前記UEが前記ユーザデータを受信したことを検証することと
を行うように構成される、基地局。
【請求項４３】
前記ACK/NACKリソース構成はリソースインジケータ(RI)を含む、請求項42に記載の基地局。
【請求項４４】
前記RIは、1つまたは複数のサブバンドインデックスを含むマルチレベルリソースインデックス、および前記1つまたは複数のサブバンドインデックスによって識別される各サブバンドに対応する少なくとも1つのリソースを識別する1つまたは複数のリソース識別子である、請求項43に記載の基地局。
【請求項４５】
プロセッサ実行可能なプログラムコードを記録したコンピュータ可読記録媒体であって、前記プロセッサ実行可能なプログラムコートが、
UE固有のリソースセットを示す無線リソース制御(RRC)構成をUEに送信するためのコードと、
対応する肯定応答/否定応答(ACK/NACK)リソース構成を含む物理ダウンリンク制御チャネル(PDCCH)を前記UEに送信するためのコードと、
物理ダウンリンク共有チャネル(PDSCH)上でユーザデータを前記UEに送信するためのコードと、
前記ACK/NACKリソース構成に少なくとも部分的に基づいて前記UEによって前記UE固有のリソースセットから決定された少なくとも1つのACK/NACKリソース上の前記PDSCH上で送信された前記ユーザデータに対するACK/NACKを前記UEから受信するためのコードと、
前記ACK/NACKに基づき、前記UEが前記ユーザデータを受信したことを検証するためのコードと
を含む、コンピュータ可読記録媒体。
【請求項４６】
基地局であって、
UE固有のリソースセットを示す無線リソース制御(RRC)構成をUEに送信するための手段と、
対応する肯定応答/否定応答(ACK/NACK)リソース構成を含む物理ダウンリンク制御チャネル(PDCCH)を前記UEに送信するための手段と、
物理ダウンリンク共有チャネル(PDSCH)上でユーザデータを前記UEに送信するための手段と、
前記ACK/NACKリソース構成に少なくとも部分的に基づいて前記UEによって前記UE固有のリソースセットから決定された少なくとも1つのACK/NACKリソース上の前記PDSCH上で送信された前記ユーザデータに対するACK/NACKを前記UEから受信するための手段と、
前記ACK/NACKに基づき、前記UEが前記ユーザデータを受信したことを検証するための手段と
を備える、基地局。